(57)【特許請求の範囲】
【請求項１】
ワイヤレス通信システムにおいてネットワークノード中でリレー遷移時間を確立するための方法であって、
ネットワークノード送信／受信（ＴＸ／ＲＸ）切替え時間を切替えしきい値と比較することと、
前記ネットワークノードＴＸ／ＲＸ切替え時間が前記切替えしきい値以下である場合、サイクリックプレフィックス（ＣＰ）の部分をガード期間として使用すること、または
前記ネットワークノードＴＸ／ＲＸ切替え時間が前記切替えしきい値よりも大きい場合、最後のシンボルをブランクアウトするためにサウンディング基準信号（ＳＲＳ）構成済みチャネルを使用することと
を備える、方法。
【請求項２】
前記サイクリックプレフィックス（ＣＰ）の前記部分が、少なくとも１つの受信サブフレームの最初のシンボルのものであるか、または少なくとも１つの送信サブフレームの最後のシンボルのものである、請求項１に記載の方法。
【請求項３】
前記サイクリックプレフィックス（ＣＰ）の前記部分が、対称的に受信サブフレームと送信サブフレームの両方からのものである、請求項１に記載の方法。
【請求項４】
ネットワークノードの送信受信間遷移期間の間、ダウンリンクバックホールリンクの第１のサイクリックプレフィックス（ＣＰ）を受信しないことを選択することをさらに備える、請求項１に記載の方法。
【請求項５】
前記ネットワークノードの受信送信間遷移期間の間、ダウンリンクアクセスリンクの第１のサイクリックプレフィックス（ＣＰ）を送信しないことを選択することをさらに備える、請求項４に記載の方法。
【請求項６】
実際のＳＲＳが必要とされる場合、連続するサブフレーム上でバックホールアップリンクチャネルを送信するように前記ネットワークノードを構成することをさらに備える、請求項１に記載の方法。
【請求項７】
前記連続するサブフレームのうちの１つが、最後のシンボルの送信をブランクアウトするためのものであり、前記連続するサブフレームの別の１つが前記実際のＳＲＳのために使用される、請求項６に記載の方法。
【請求項８】
第１のシンボル上でのみ制御チャネルを送信し、マルチキャスト／ブロードキャスト単一周波数ネットワーク（ＭＢＳＦＮ）遷移サブフレームのために第２のシンボル上のガード期間を使用するように前記ネットワークノードを構成することをさらに備える、請求項６に記載の方法。
【請求項９】
ネットワークノード送信／受信（ＴＸ／ＲＸ）切替え時間と切替えしきい値とを確立することをさらに備え、前記切替えしきい値がＯＦＤＭシンボル期間に関係する、請求項８に記載の方法。
【請求項１０】
前記ネットワークノードが、リレーノード（ＲＮ）、ホームｅノードＢ（ＨｅＮＢ）、フェムトセルまたはピコセルのうちの１つである、請求項１に記載の方法。
【請求項１１】
バックホールアップリンクについて前記ネットワークノードのためにＵＥ固有ＳＲＳを構成することと、アクセスアップリンクまたはバックホールアップリンク中でＳＲＳ構成を使用することによって最後のシンボルをいつブランクアウトするかをネゴシエートすることとのうちの１つを実行することをさらに備える、請求項１に記載の方法。
【請求項１２】
前記ネットワークノードがｅノードＢのダウンリンク（ＤＬ）送信を監視する、請求項１１に記載の方法。
【請求項１３】
前記ｅノードＢが、ブロードキャストまたはユニキャストを通して前記ネットワークノードの送信時間差を受信する、請求項１２に記載の方法。
【請求項１４】
前記ネットワークノードが、複数のリレーバックホール伝搬遅延値のユニキャストを受信する、請求項１１に記載の方法。
【請求項１５】
ワイヤレス通信システムにおいてネットワークノード中でリレー遷移時間を確立するための装置であって、
ネットワークノード送信／受信（ＴＸ／ＲＸ）切替え時間を切替えしきい値と比較するための手段と、
前記ネットワークノードＴＸ／ＲＸ切替え時間が前記切替えしきい値以下である場合、サイクリックプレフィックス（ＣＰ）の部分をガード期間として使用するための手段と、
前記ネットワークノードＴＸ／ＲＸ切替え時間が前記切替えしきい値よりも大きい場合、最後のシンボルをブランクアウトするためにサウンディング基準信号（ＳＲＳ）構成済みチャネルを使用するための手段と
を備える、装置。
【請求項１６】
前記サイクリックプレフィックス（ＣＰ）の前記部分が、少なくとも１つの受信サブフレームの最初のシンボルのものであるか、または少なくとも１つの送信サブフレームの最後のシンボルのものである、請求項１５に記載の装置。
【請求項１７】
前記サイクリックプレフィックス（ＣＰ）の前記部分が、対称的に受信サブフレームと送信サブフレームの両方からのものである、請求項１５に記載の装置。
【請求項１８】
ネットワークノードの送信受信間移行期間の間、ダウンリンクバックホールリンクの第１のサイクリックプレフィックス（ＣＰ）を受信しないことを選択するための手段をさらに備える、請求項１５に記載の装置。
【請求項１９】
前記ネットワークノードの受信送信間移行期間の間、ダウンリンクアクセスリンクの第１のサイクリックプレフィックス（ＣＰ）を送信しないことを選択するための手段をさらに備える、請求項１８に記載の装置。
【請求項２０】
実際のＳＲＳが必要とされる場合、連続するサブフレーム上でバックホールアップリンクチャネルを送信するように前記ネットワークノードを構成するための手段をさらに備える、請求項１５に記載の装置。
【請求項２１】
前記連続するサブフレームのうちの１つが、最後のシンボルの送信をブランクアウトするためのものであり、前記連続するサブフレームの別の１つが前記実際のＳＲＳのために使用される、請求項２０に記載の装置。
【請求項２２】
第１のシンボル上でのみ制御チャネルを送信し、マルチキャスト／ブロードキャスト単一周波数ネットワーク（ＭＢＳＦＮ）遷移サブフレームのために第２のシンボル上のガード期間を使用するように前記ネットワークノードを構成するための手段をさらに備える、請求項２０に記載の装置。
【請求項２３】
ネットワークノード送信／受信（ＴＸ／ＲＸ）切替え時間と切替えしきい値とを確立するための手段をさらに備え、前記切替えしきい値がＯＦＤＭシンボル期間に関係する、請求項２２に記載の装置。
【請求項２４】
前記ネットワークノードが、リレーノード（ＲＮ）、ホームｅノードＢ（ＨｅＮＢ）、フェムトセルまたはピコセルのうちの１つである、請求項１５に記載の装置。
【請求項２５】
バックホールアップリンクについて前記ネットワークノードのためにＵＥ固有ＳＲＳを構成することと、アクセスアップリンクまたはバックホールアップリンク中でＳＲＳ構成を使用することによって最後のシンボルをいつブランクアウトするかをネゴシエートすることとのうちの１つを実行するための手段をさらに備える、請求項１５に記載の装置。
【請求項２６】
前記ネットワークノードがｅノードＢのダウンリンク（ＤＬ）送信を監視する、請求項２５に記載の装置。
【請求項２７】
前記ｅノードＢが、ブロードキャストまたはユニキャストを通して前記ネットワークノードの送信時間差を受信する、請求項２６に記載の装置。
【請求項２８】
前記ネットワークノードが、複数のリレーバックホール伝搬遅延値のユニキャストを受信する、請求項２５に記載の装置。
【請求項２９】
ワイヤレス通信システムにおいてネットワークノード中でリレー遷移時間を確立するための装置であって、前記装置がプロセッサとメモリとを備え、前記メモリが、
ネットワークノード送信／受信（ＴＸ／ＲＸ）切替え時間を切替えしきい値と比較することと、
前記ネットワークノードＴＸ／ＲＸ切替え時間が前記切替えしきい値以下である場合、サイクリックプレフィックス（ＣＰ）の部分をガード期間として使用すること、または
前記ネットワークノードＴＸ／ＲＸ切替え時間が前記切替えしきい値よりも大きい場合、最後のシンボルをブランクアウトするためにサウンディング基準信号（ＳＲＳ）構成済みチャネルを使用することと
を実行するための、前記プロセッサによって実行可能なプログラムコードを含む、装置。
【請求項３０】
前記サイクリックプレフィックス（ＣＰ）の前記部分が、少なくとも１つの受信サブフレームの最初のシンボルのもの、少なくとも１つの送信サブフレームの最後のシンボルのもの、または対称的に受信サブフレームと送信サブフレームの両方からのもののうちの１つである、請求項２９に記載の装置。
【請求項３１】
前記メモリが、ネットワークノードの送信受信間移行期間の間、ダウンリンクバックホールリンクの第１のサイクリックプレフィックス（ＣＰ）を受信しないことを選択するためのプログラムコードと、前記ネットワークノードの受信送信間移行期間の間、ダウンリンクアクセスリンクの第１のサイクリックプレフィックス（ＣＰ）を送信しないことを選択するためのプログラムコードとをさらに備える、請求項２９に記載の装置。
【請求項３２】
前記メモリが、実際のＳＲＳが必要とされる場合、連続するサブフレーム上でバックホールアップリンクチャネルを送信するように前記ネットワークノードを構成するためのプログラムコードをさらに備える、請求項２９に記載の装置。
【請求項３３】
前記連続するサブフレームのうちの１つが、最後のシンボルの送信をブランクアウトするためのものであり、前記連続するサブフレームの別の１つが前記実際のＳＲＳのために使用される、請求項３２に記載の装置。
【請求項３４】
前記メモリが、第１のシンボル上でのみ制御チャネルを送信し、マルチキャスト／ブロードキャスト単一周波数ネットワーク（ＭＢＳＦＮ）遷移サブフレームのために第２のシンボル上のガード期間を使用するように前記ネットワークノードを構成するためのプログラムコードをさらに備える、請求項３２に記載の装置。
【請求項３５】
前記ネットワークノードが、リレーノード（ＲＮ）、ホームｅノードＢ（ＨｅＮＢ）、フェムトセルまたはピコセルのうちの１つである、請求項２９に記載の装置。
【請求項３６】
前記メモリが、バックホールアップリンクについて前記ネットワークノードのためにＵＥ固有ＳＲＳを構成することと、アクセスアップリンクまたはバックホールアップリンク中でＳＲＳ構成を使用することによって最後のシンボルをいつブランクアウトするかをネゴシエートすることとのうちの１つを実行するためのプログラムコードをさらに備える、請求項２９に記載の装置。
【請求項３７】
前記ネットワークノードがｅノードＢのダウンリンク（ＤＬ）送信を監視し、前記ｅノードＢが、ブロードキャストまたはユニキャストを通して前記ネットワークノードの送信時間差を受信する、請求項３６に記載の装置。
【請求項３８】
前記ネットワークノードが、複数のリレーバックホール伝搬遅延値のユニキャストを受信する、請求項３６に記載の装置。
【請求項３９】
コンピュータプログラムを記憶したコンピュータ可読媒体であって、前記コンピュータプログラムの実行が、
ネットワークノード送信／受信（ＴＸ／ＲＸ）切替え時間を切替えしきい値と比較することと、
前記ネットワークノードＴＸ／ＲＸ切替え時間が前記切替えしきい値以下である場合、サイクリックプレフィックス（ＣＰ）の部分をガード期間として使用すること、または
前記ネットワークノードＴＸ／ＲＸ切替え時間が前記切替えしきい値よりも大きい場合、最後のシンボルをブランクアウトするためにサウンディング基準信号（ＳＲＳ）構成済みチャネルを使用することと
のためである、コンピュータ可読媒体。
【請求項４０】
前記サイクリックプレフィックス（ＣＰ）の前記部分が、少なくとも１つの受信サブフレームの最初のシンボルのものであるか、または少なくとも１つの送信サブフレームの最後のシンボルのものである、請求項３９に記載のコンピュータ可読媒体。
【請求項４１】
前記サイクリックプレフィックス（ＣＰ）の前記部分が、対称的に受信サブフレームと送信サブフレームの両方からのものである、請求項３９に記載のコンピュータ可読媒体。
【請求項４２】
前記コンピュータプログラムの実行がまた、ネットワークノードの送信受信間移行期間の間、ダウンリンクバックホールリンクの第１のサイクリックプレフィックス（ＣＰ）を受信しないことを選択することと、前記ネットワークノードの受信送信間移行期間の間、ダウンリンクアクセスリンクの第１のサイクリックプレフィックス（ＣＰ）を送信しないことを選択することとのためである、請求項３９に記載のコンピュータ可読媒体。
【請求項４３】
前記コンピュータプログラムの実行がまた、実際のＳＲＳが必要とされる場合、連続するサブフレーム上でバックホールアップリンクチャネルを送信するように前記ネットワークノードを構成するためである、請求項３９に記載のコンピュータ可読媒体。
【請求項４４】
前記連続するサブフレームのうちの１つが、最後のシンボルの送信をブランクアウトするためのものであり、前記連続するサブフレームの別の１つが前記実際のＳＲＳのために使用される、請求項４３に記載のコンピュータ可読媒体。
【請求項４５】
前記コンピュータプログラムの実行がまた、第１のシンボル上でのみ制御チャネルを送信し、マルチキャスト／ブロードキャスト単一周波数ネットワーク（ＭＢＳＦＮ）遷移サブフレームのために第２のシンボル上のガード期間を使用するように前記ネットワークノードを構成するためである、請求項４３に記載のコンピュータ可読媒体。
【請求項４６】
前記コンピュータプログラムの実行がまた、ネットワークノード送信／受信（ＴＸ／ＲＸ）切替え時間と切替えしきい値とを確立するためであり、前記切替えしきい値がＯＦＤＭシンボル期間に関係する、請求項４５に記載のコンピュータ可読媒体。
【請求項４７】
前記ネットワークノードが、リレーノード（ＲＮ）、ホームｅノードＢ（ＨｅＮＢ）、フェムトセルまたはピコセルのうちの１つである、請求項３９に記載のコンピュータ可読媒体。
【請求項４８】
前記コンピュータプログラムの実行がまた、バックホールアップリンクについて前記ネットワークノードのためにＵＥ固有ＳＲＳを構成することと、アクセスアップリンクまたはバックホールアップリンク中でＳＲＳ構成を使用することによって最後のシンボルをいつブランクアウトするかをネゴシエートすることとのうちの１つを実行するためである、請求項３９に記載のコンピュータ可読媒体。
【請求項４９】
前記ネットワークノードがｅノードＢのダウンリンク（ＤＬ）送信を監視し、前記ｅノードＢが、ブロードキャストまたはユニキャストを通して前記ネットワークノードの送信時間差を受信する、請求項４８に記載のコンピュータ可読媒体。
【請求項５０】
前記ネットワークノードが、複数のリレーバックホール伝搬遅延値のユニキャストを受信する、請求項４８に記載のコンピュータ可読媒体。
【発明の詳細な説明】
【技術分野】
【０００１】
米国特許法第１１９条に基づく優先権の主張
本特許出願は、いずれも本出願の譲受人に譲渡され、参照により本明細書に明確に組み込まれる、２０１０年１月１１日に出願された「Apparatus and Method for Relay Transition Time」と題する仮出願第６１／２９４，０８２号、２０１０年３月１９日に出願された「Apparatus and Method for Relay Transition Time」と題する仮出願第６１／３１５，８２０号、および２０１０年４月５日に出願された「Apparatus and Method for Relay Transition Time」と題する仮出願第６１／３２０，９９８号の優先権を主張する。
【０００２】
本開示は、一般に、ワイヤレス通信システムにおいて二重リレー通信に適応するための装置および方法に関する。より詳細には、本開示は、Ｌｏｎｇ  Ｔｅｒｍ  Ｅｖｏｌｕｔｉｏｎ−Ａｄｖａｎｃｅｄ（ＬＴＥ−Ａ）ワイヤレスシステムにおいて半二重周波数分割複信（ＦＤＤ）リレーノード（ＲＮ）中でリレー遷移時間を確立することに関する。
【背景技術】
【０００３】
ワイヤレス通信システムは、ボイス、ビデオ、データなど、様々なタイプの通信コンテンツを提供するために広く展開されている。これらのシステムは、利用可能なシステムリソース（たとえば、帯域幅および送信電力）を共有することによって複数のユーザとの通信をサポートすることが可能な多元接続システムであり得る。そのような多元接続システムの例には、符号分割多元接続（ＣＤＭＡ）システム、時分割多元接続（ＴＤＭＡ）システム、周波数分割多元接続（ＦＤＭＡ）システム、３rd  Ｇｅｎｅｒａｔｉｏｎ  Ｐａｒｔｎｅｒｓｈｉｐ  Ｐｒｏｊｅｃｔ（３ＧＰＰ）  Ｌｏｎｇ  Ｔｅｒｍ  Ｅｖｏｌｕｔｉｏｎ（ＬＴＥ）システム、および直交周波数分割多元接続（ＯＦＤＭＡ）システムがある。
【０００４】
概して、ワイヤレス多元接続通信システムは、複数のワイヤレス端末のための通信を同時にサポートすることができる。各端末は、順方向リンクおよび逆方向リンク上の送信を介して１つまたは複数の基地局と通信する。順方向リンク（またはダウンリンク）とは、基地局から端末への通信リンクを指し、逆方向リンク（またはアップリンク）とは、端末から基地局への通信リンクを指す。この通信リンクは、単入力単出力（ＳＩＳＯ）、多入力単出力（ＭＩＳＯ）、または多入力多出力（ＭＩＭＯ）システムを介して確立され得る。
【発明の概要】
【０００５】
リレー遷移時間のための装置および方法が開示される。一態様によれば、ワイヤレス通信システムにおいてネットワークノード中でリレー遷移時間を確立するための方法であって、ネットワークノード送信／受信（ＴＸ／ＲＸ）切替え時間を切替えしきい値と比較することと、ネットワークノードＴＸ／ＲＸ切替え時間が切替えしきい値以下である場合、サイクリックプレフィックス（ＣＰ：cyclic prefix）の部分をガード期間として使用すること、またはネットワークノードＴＸ／ＲＸ切替え時間が切替えしきい値よりも大きい場合、最後のシンボルをブランクアウトするためにサウンディング基準信号（ＳＲＳ：sounding reference signal）構成済みチャネルを使用することとを備える、方法が提供される。
【０００６】
一態様によれば、ワイヤレス通信システムにおいてネットワークノード中でリレー遷移時間を確立するための装置であって、ネットワークノード送信／受信（ＴＸ／ＲＸ）切替え時間を切替えしきい値と比較するための手段と、ネットワークノードＴＸ／ＲＸ切替え時間が切替えしきい値以下である場合、サイクリックプレフィックス（ＣＰ）の部分をガード期間として使用するための手段と、ネットワークノードＴＸ／ＲＸ切替え時間が切替えしきい値よりも大きい場合、最後のシンボルをブランクアウトするためにサウンディング基準信号（ＳＲＳ）構成済みチャネルを使用するための手段とを備える、装置が提供される。
【０００７】
別の態様によれば、ワイヤレス通信システムにおいてネットワークノード中でリレー遷移時間を確立するための装置であって、装置がプロセッサとメモリとを備え、メモリが、ネットワークノード送信／受信（ＴＸ／ＲＸ）切替え時間を切替えしきい値と比較することと、ネットワークノードＴＸ／ＲＸ切替え時間が切替えしきい値以下である場合、サイクリックプレフィックス（ＣＰ）の部分をガード期間として使用すること、またはネットワークノードＴＸ／ＲＸ切替え時間が切替えしきい値よりも大きい場合、最後のシンボルをブランクアウトするためにサウンディング基準信号（ＳＲＳ）構成済みチャネルを使用することとを実行するための、プロセッサによって実行可能なプログラムコードを含む、装置が提供される。
【０００８】
別の態様によれば、コンピュータプログラムを記憶したコンピュータ可読媒体であって、コンピュータプログラムの実行が、ネットワークノード送信／受信（ＴＸ／ＲＸ）切替え時間を切替えしきい値と比較することと、ネットワークノードＴＸ／ＲＸ切替え時間が切替えしきい値以下である場合、サイクリックプレフィックス（ＣＰ）の部分をガード期間として使用すること、またはネットワークノードＴＸ／ＲＸ切替え時間が切替えしきい値よりも大きい場合、最後のシンボルをブランクアウトするためにサウンディング基準信号（ＳＲＳ）構成済みチャネルを使用することとのためである、コンピュータ可読媒体が提供される。
【０００９】
本開示の利点は、既存のワイヤレスプロトコルおよび／またはアーキテクチャの変更なしにリレー使用を可能にすることと、より多くのユーザに拡大された無線カバレージを提供することとを含み得る。
【００１０】
様々な態様が例として図示され説明される、以下の発明を実施するための形態から、当業者には他の態様が容易に明らかになることを理解されたい。図面および発明を実施するための形態は、本質的に例示的なものと見なされるべきであり、限定的なものと見なされるべきではない。
【図面の簡単な説明】
【００１１】
【図１】ワイヤレス通信システムの例示的なブロック図。
【図２】複数のユーザデバイスをサポートするワイヤレス通信システムの一例を示す図。
【図３】ＬＴＥワイヤレス通信システムにおけるリレーアーキテクチャの一例を示す図。
【図４】３つの例示的なオプションを用いて半二重モードにおけるＲＮの送信サブフレームと受信サブフレームとの間のリレー遷移シナリオの例示的なセットを示す図。
【図５】リレーバックホール（ＢＨ）タイムラインの一例を示す図。
【図６】ドナーｅノードＢ（ＤｅＮＢ）とリレーノード（ＲＮ）との間のサブフレーム関係の一例を示す図。
【図７】ＲＮの動的ＡＣＫ／ＮＡＣＫリソース導出のためのアップリンク構造の一例を示す図。
【図８】ＲＮの動的ＡＣＫ／ＮＡＣＫリソース導出のためのアップリンク構造の時間オフセットフォーマットの一例を示す図。
【図９】ＲＮの動的ＡＣＫ／ＮＡＣＫリソース導出のためのアップリンク構造の第２の例を示す図。
【図１０】ＰＲＡＣＨタイミングの様々な態様の例を示す図。
【図１１】通常サイクリックプレフィックス（ＣＰ）パターンと拡張サイクリックプレフィックス（ＣＰ）パターンの例を示す図。
【図１２】ワイヤレス通信システムにおいてネットワークノード中でリレー遷移時間を確立するための例示的な流れ図。
【図１３】ワイヤレス通信システムにおいてネットワークノード中でリレー遷移時間を確立するためのプロセスを実行するための、メモリと通信しているプロセッサを備えるデバイスの一例を示す図。
【図１４】ワイヤレス通信システムにおいてネットワークノード中でリレー遷移時間を確立するのに好適なデバイスの一例を示す図。
【発明を実施するための形態】
【００１２】
添付の図面とともに以下に示す詳細な説明は、本開示の様々な態様を説明するものであり、本開示が実施され得る唯一の態様を表すものではない。本開示で説明する各態様は、本開示の例または説明として与えるものにすぎず、必ずしも他の態様よりも好適であるまたは有利であると解釈すべきではない。詳細な説明は、本開示の完全な理解を与えるための具体的な詳細を含む。ただし、本開示はこれらの具体的な詳細なしに実施され得ることが当業者には明らかであろう。場合によっては、本開示の概念を不明瞭にしないように、よく知られている構造およびデバイスをブロック図の形式で示す。頭字語および他の記述的専門用語は、単に便宜のためにおよび明瞭にするためにのみ使用され得、本開示の範囲を限定するものではない。
【００１３】
説明を簡単にするために、方法を一連の行為として図示し説明するが、いくつかの行為は、１つまたは複数の態様によれば、本明細書で図示し説明する順序とは異なる順序で、および／または他の行為と同時に行われ得るので、方法は行為の順序によって限定されないことを理解し、諒解されたい。たとえば、方法は、状態図など、一連の相互に関連する状態または事象として代替的に表現できることを当業者ならば理解し、諒解するであろう。さらに、１つまたは複数の態様による方法を実装するために、図示のすべての行為が必要とされるとは限らない。
【００１４】
本明細書で説明する技法は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングルキャリアＦＤＭＡ（ＳＣ−ＦＤＭＡ）ネットワークなど、様々なワイヤレス通信ネットワークに対して使用され得る。「ネットワーク」および「システム」という用語は、しばしば互換的に使用される。ＣＤＭＡネットワークは、Ｕｎｉｖｅｒｓａｌ  Ｔｅｒｒｅｓｔｒｉａｌ  Ｒａｄｉｏ  Ａｃｃｅｓｓ（ＵＴＲＡ）、ｃｄｍａ２０００などの無線技術を実装し得る。ＵＴＲＡは、Ｗｉｄｅｂａｎｄ−ＣＤＭＡ（Ｗ−ＣＤＭＡ）および低チップレート（ＬＣＲ）を含む。ｃｄｍａ２０００は、ＩＳ−２０００、ＩＳ−９５およびＩＳ−８５６規格をカバーする。ＴＤＭＡネットワークは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）（登録商標）などの無線技術を実装し得る。ＯＦＤＭＡネットワークは、Ｅｖｏｌｖｅｄ  ＵＴＲＡ（「Ｅ−ＵＴＲＡ」）、ＩＥＥＥ８０２．１１、ＩＥＥＥ８０２．１６、ＩＥＥＥ８０２．２０、Ｆｌａｓｈ−ＯＦＤＭ（登録商標）などの無線技術を実装し得る。ＵＴＲＡ、Ｅ−ＵＴＲＡ、およびＧＳＭは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。Ｌｏｎｇ  Ｔｅｒｍ  Ｅｖｏｌｕｔｉｏｎ（ＬＴＥ）は、Ｅ−ＵＴＲＡを使用するＵＭＴＳの今度のリリースである。ＵＴＲＡ、Ｅ−ＵＴＲＡ、ＧＳＭ、ＵＭＴＳおよびＬＴＥは、「３ｒｄ  Ｇｅｎｅｒａｔｉｏｎ  Ｐａｒｔｎｅｒｓｈｉｐ  Ｐｒｏｊｅｃｔ」（３ＧＰＰ）という名称の組織からの文書に記載されている。ｃｄｍａ２０００は、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）という名称の組織からの文書に記載されている。これらの様々な無線技術および規格は当技術分野で知られている。
【００１５】
図１に、ワイヤレス通信システム１００の例示的なブロック図を示す。図１に示す例示的な２つの端末システム１００は、ＦＤＭＡ環境、ＯＦＤＭＡ環境、ＣＤＭＡ環境、ＷＣＤＭＡ環境、ＴＤＭＡ環境、ＳＤＭＡ環境または任意の他の好適なワイヤレス環境において実装され得ることを当業者ならば理解されよう。
【００１６】
一態様では、２つの端末システム１００は、アクセスノード１０１（たとえば、基地局またはノードＢ）とユーザ機器またはＵＥ２０１（たとえば、ユーザデバイス）とを含む。ダウンリンクレッグにおいて、アクセスノード１０１（たとえば、基地局またはノードＢ）は、トラフィックデータを受け付け、フォーマットし、コーディングし、インターリーブし、変調し（またはシンボルマッピングし）、変調シンボル（たとえば、データシンボル）を与える送信（ＴＸ）データプロセッサＡ１１０を含む。ＴＸデータプロセッサＡ１１０はシンボル変調器Ａ１２０と通信している。シンボル変調器Ａ１２０は、データシンボルとダウンリンクパイロットシンボルとを受け付け、処理し、シンボルのストリームを与える。一態様では、トラフィックデータを変調（またはシンボルマッピング）し、変調シンボル（たとえば、データシンボル）を与えるのはシンボル変調器Ａ１２０である。一態様では、シンボル変調器Ａ１２０は、構成情報を提供するプロセッサＡ１８０と通信している。シンボル変調器Ａ１２０は送信機ユニット（ＴＭＴＲ）Ａ１３０と通信している。シンボル変調器Ａ１２０は、データシンボルとダウンリンクパイロットシンボルとを多重化し、それらを送信機ユニットＡ１３０に与える。
【００１７】
送信されるべき各シンボルは、データシンボル、ダウンリンクパイロットシンボルまたは信号値０であり得る。ダウンリンクパイロットシンボルは、各シンボル期間中に連続的に送られ得る。一態様では、ダウンリンクパイロットシンボルは周波数分割多重化（ＦＤＭ）される。別の態様では、ダウンリンクパイロットシンボルは直交周波数分割多重化（ＯＦＤＭ）される。さらに別の態様では、ダウンリンクパイロットシンボルは符号分割多重化（ＣＤＭ：code division multiplexed）される。一態様では、送信機ユニットＡ１３０は、シンボルのストリームを受信し、１つまたは複数のアナログ信号に変換し、さらに、そのアナログ信号を調整して、たとえば、増幅、フィルタ処理および／または周波数アップコンバートして、ワイヤレス送信に好適なアナログダウンリンク信号を生成する。次いで、アナログダウンリンク信号はアンテナ１４０を通して送信される。
【００１８】
ダウンリンクレッグにおいて、ＵＥ２０１（たとえば、ユーザデバイス）は、アナログダウンリンク信号を受信し、そのアナログダウンリンク信号を受信機ユニット（ＲＣＶＲ）Ｂ２２０に入力するためのアンテナ２１０を含む。一態様では、受信機ユニットＢ２２０は、アナログダウンリンク信号を調整して、たとえば、フィルタ処理、増幅、および周波数ダウンコンバートして、第１の「調整された」信号にする。次いで、この第１の「調整された」信号はサンプリングされる。受信機ユニットＢ２２０はシンボル復調器Ｂ２３０と通信している。シンボル復調器Ｂ２３０は、受信機ユニットＢ２２０から出力された第１の「調整」および「サンプリング」された信号（たとえば、データシンボル）を復調する。代替形態は、シンボル復調器Ｂ２３０中にサンプリングプロセスを実装することであることを当業者ならば理解されよう。シンボル復調器Ｂ２３０はプロセッサＢ２４０と通信している。プロセッサＢ２４０は、シンボル復調器Ｂ２３０からダウンリンクパイロットシンボルを受信し、そのダウンリンクパイロットシンボルに対してチャネル推定を実行する。一態様では、チャネル推定は、現在の伝搬環境を特徴付けるプロセスである。シンボル復調器Ｂ２３０は、プロセッサＢ２４０からダウンリンクレッグの周波数応答推定値を受信する。シンボル復調器Ｂ２３０は、データシンボルに対してデータ復調を実行して、ダウンリンク経路上のデータシンボル推定値を取得する。ダウンリンク経路上のデータシンボル推定値は、送信されたデータシンボルの推定値である。シンボル復調器Ｂ２３０はまた、ＲＸデータプロセッサＢ２５０と通信している。
【００１９】
ＲＸデータプロセッサＢ２５０は、シンボル復調器Ｂ２３０からダウンリンク経路上のデータシンボル推定値を受信し、たとえば、そのダウンリンク経路上のデータシンボル推定値を復調（すなわち、シンボルデマッピング）、デインターリーブおよび／または復号して、トラフィックデータを復元する。一態様では、シンボル復調器Ｂ２３０およびＲＸデータプロセッサＢ２５０による処理は、それぞれシンボル変調器Ａ１２０およびＴＸデータプロセッサＡ１１０による処理を補足するものである。
【００２０】
アップリンクレッグにおいて、ＵＥ２０１（たとえば、ユーザデバイス）はＴＸデータプロセッサＢ２６０を含む。ＴＸデータプロセッサＢ２６０は、トラフィックデータを受け付け、処理して、データシンボルを出力する。ＴＸデータプロセッサＢ２６０はシンボル変調器Ｄ２７０と通信している。シンボル変調器Ｄ２７０は、データシンボルを受け付け、アップリンクパイロットシンボルと多重化し、変調を実行し、シンボルのストリームを与える。一態様では、シンボル変調器Ｄ２７０は、構成情報を提供するプロセッサＢ２４０と通信している。シンボル変調器Ｄ２７０は送信機ユニットＢ２８０と通信している。
【００２１】
送信されるべき各シンボルは、データシンボル、アップリンクパイロットシンボルまたは信号値０であり得る。アップリンクパイロットシンボルは、各シンボル期間中に連続的に送られ得る。一態様では、アップリンクパイロットシンボルは周波数分割多重化（ＦＤＭ）される。別の態様では、アップリンクパイロットシンボルは直交周波数分割多重化（ＯＦＤＭ）される。さらに別の態様では、アップリンクパイロットシンボルは符号分割多重化（ＣＤＭ）される。一態様では、送信機ユニットＢ２８０は、シンボルのストリームを受信し、１つまたは複数のアナログ信号に変換し、さらに、そのアナログ信号を調整して、たとえば、増幅、フィルタ処理および／または周波数アップコンバートして、ワイヤレス送信に好適なアナログアップリンク信号を生成する。次いで、アナログアップリンク信号はアンテナ２１０を通して送信される。
【００２２】
ＵＥ２０１（たとえば、ユーザデバイス）からのアナログアップリンク信号は、アンテナ１４０によって受信され、受信機ユニットＡ１５０によって処理され、サンプルを得る。一態様では、受信機ユニットＡ１５０は、アナログアップリンク信号を調整して、たとえば、フィルタ処理、増幅、および周波数ダウンコンバートして、第２の「調整された」信号にする。次いで、この第２の「調整された」信号はサンプリングされる。受信機ユニットＡ１５０はシンボル復調器Ｃ１６０と通信している。代替形態は、シンボル復調器Ｃ１６０中にサンプリングプロセスを実装することであることを当業者ならば理解されよう。シンボル復調器Ｃ１６０は、データシンボルに対してデータ復調を実行して、アップリンク経路上のデータシンボル推定値を取得し、次いで、アップリンクパイロットシンボルと、アップリンク経路上のデータシンボル推定値とをＲＸデータプロセッサＡ１７０に与える。アップリンク経路上のデータシンボル推定値は、送信されたデータシンボルの推定値である。ＲＸデータプロセッサＡ１７０は、アップリンク経路上のデータシンボル推定値を処理して、ワイヤレス通信デバイス２０１によって送信されたトラフィックデータを復元する。シンボル復調器Ｃ１６０はまた、プロセッサＡ１８０と通信している。プロセッサＡ１８０は、アップリンクレッグ上で送信しているアクティブ端末ごとにチャネル推定を実行する。一態様では、複数の端末が、パイロットサブバンドセットがインターレースされ得るパイロットサブバンドのそれぞれの割り当てられたセット上で、アップリンクレッグ上で同時にパイロットシンボルを送信し得る。
【００２３】
プロセッサＡ１８０およびプロセッサＢ２４０は、それぞれアクセスノード１０１（たとえば、基地局またはノードＢ）およびＵＥ２０１（たとえば、ユーザデバイス）における動作を指示（すなわち、制御、調整または管理など）する。一態様では、プロセッサＡ１８０およびプロセッサＢ２４０の一方または両方は、プログラムコードおよび／またはデータを記憶するための１つまたは複数のメモリユニット（図示せず）に結合される。一態様では、プロセッサＡ１８０またはプロセッサＢ２４０の一方または両方は、それぞれアップリンクレッグおよびダウンリンクレッグについて周波数応答推定値およびインパルス応答推定値を導出するための計算を実行する。
【００２４】
一態様では、２つの端末システム１００は多元接続システムである。多元接続システム（たとえば、周波数分割多元接続（ＦＤＭＡ）、直交周波数分割多元接続（ＯＦＤＭＡ）、符号分割多元接続（ＣＤＭＡ）、時分割多元接続（ＴＤＭＡ）、空間分割多元接続（ＳＤＭＡ）など）の場合、複数の端末がアップリンクレッグ上で同時に送信し、複数のＵＥ（たとえば、ユーザデバイス）へのアクセスが可能になる。一態様では、多元接続システムの場合、パイロットサブバンドは異なる端末の間で共有され得る。各端末のパイロットサブバンドが（場合によってはバンドエッジを除いて）動作帯域全体にわたる場合、チャネル推定技法が使用される。そのようなパイロットサブバンド構造は、端末ごとに周波数ダイバーシティを得るために望ましい。
【００２５】
図２に、複数のユーザデバイスをサポートするワイヤレス通信システム２９０の一例を示す。図２では、参照番号２９２Ａ〜２９２Ｇはセルを指し、参照番号２９８Ａ〜は２９８Ｇは基地局（ＢＳ）またはノードＢを指し、参照番号２９６Ａ〜２９６Ｊは（ユーザ機器（ＵＥ）としても知られる）アクセスユーザデバイスを指す。セルサイズは変動し得る。システム２９０中で送信をスケジュールするために、様々なアルゴリズムおよび方法のうちのいずれかが使用され得る。システム２９０は、いくつかのセル２９２Ａ〜２９２Ｇのための通信を行い、各セルは、それぞれ対応する基地局２９８Ａ〜２９８Ｇよってサービスされる。
【００２６】
一態様では、ＬＴＥ−Ａｄｖａｎｃｅｄ（ＬＴＥ−Ａ）は、ＵＭＴＳプロトコルファミリーにおける次世代ワイヤレス技術の進化である。ＬＴＥ−Ａシステムの所望の目的には、たとえば、ダウンリンク上での最大１Ｇｂ／ｓのデータレートの向上がある。さらに、ＬＴＥ−Ａワイヤレスシステムの展開は、前のＬＴＥインフラストラクチャにおいて行われた財政投資を保護するためにＬＴＥシステムと後方互換性がなければならない。さらに、ＬＴＥ−Ａシステムの別の目的は、スペクトル効率の改善、すなわち、１ヘルツ当たりのビット毎秒（ｂｐｓ／Ｈｚ）で表される、単位帯域幅当たりのデータスループットの向上である。ワイヤレス送信のために利用可能なスペクトルリソースは世界中で厳しく制限され、厳密に規制されているので、スペクトル効率の改善はワイヤレス通信業界の成長にとって極めて重要である。
【００２７】
本開示では、ＬＴＥの第１の展開をＬＴＥリリース８（Ｒｅｌ−８）と呼ぶ。現在、変更ＬＴＥバージョンは、ＬＴＥリリース９（Ｒｅｌ−９）として知られる。本開示では、ＬＴＥリリース８／９の次のアップグレードをＬＴＥ−Ａｄｖａｎｃｅｄ（ＬＴＥ−Ａ）またはＬＴＥ  Ｒｅｌ−１０＋と呼ぶ。本開示では、「１０＋」参照符は、「リリース１０」バージョンまたはより後のバージョンを示す。将来のアップグレードバージョンに割り当てられる名前にかかわらず、本開示の範囲および趣旨が、本明細書で説明する適用可能な特性とともにＬＴＥの将来のアップグレードに適用可能であることを当業者ならば理解されよう。
【００２８】
ＬＴＥ−Ａにおける１つの提案されている特徴はキャリア拡大（carrier extension）として知られている。この態様では、たとえば、最大１００ＭＨｚのより広い帯域幅を与えるために、個々のコンポーネントキャリアが拡大され得る。
【００２９】
一態様では、ＬＴＥ−Ａに適合するユーザ機器（ＵＥ）は、キャリア拡大の使用により、ＬＴＥ  Ｒｅｌ−８のみに適合するＵＥとはシステム帯域幅の割振りが異なり得る。ＬＴＥ  Ｒｅｌ−８ダウンリンクまたはＬＴＥ−Ａダウンリンクのリソース割当てと他の制御データとは、ダウンリンク制御情報（ＤＣＩ：Downlink Control Information）として知られるメッセージ中で搬送される。
【００３０】
多くの電気通信システムでは、通信ネットワークは、いくつかの対話している空間的に分離されたデバイスの間でメッセージを交換するために使用される。様々なタイプのネットワークは、異なる態様に分類され得る。一例では、ネットワークの地理的範囲は、ワイドエリア、メトロポリタンエリア、ローカルエリア、またはパーソナルエリアにわたり得、対応するネットワークは、ワイドエリアネットワーク（ＷＡＮ）、メトロポリタンエリアネットワーク（ＭＡＮ：metropolitan area network）、ローカルエリアネットワーク（ＬＡＮ）、またはパーソナルエリアネットワーク（ＰＡＮ）として示される。ネットワークはまた、様々なネットワークノードとデバイスとを相互接続するために使用されるスイッチング／ルーティング技法（たとえば、回線交換対パケット交換）において、送信のために採用される物理媒体のタイプ（たとえば、ワイヤード対ワイヤレス）において、または使用される通信プロトコルのセット（たとえば、インターネットプロトコルスイート、ＳＯＮＥＴ（同期光ネットワーキング：Synchronous Optical Networking）、イーサネット（登録商標）など）において異なる。
【００３１】
通信ネットワークの１つの重要な特徴は、ネットワークの構成要素の間の電子信号の送信のためのワイヤードまたはワイヤレス媒体の選択である。ワイヤードネットワークの場合、銅線、同軸ケーブル、光ファイバケーブルなどの有形物理媒体が、ある距離にわたってメッセージトラフィックを搬送する誘導電磁波形（guided electromagnetic waveform）を伝搬するために採用される。ワイヤードネットワークは、通信ネットワークの静的な形式であり、一般に、固定のネットワーク要素の相互接続または大量データ転送に好適である。たとえば、光ファイバケーブルは、しばしば、地球表面上の大陸を横断するかまたは大陸の間の大量データトランスポートなど、大型ネットワークハブ間の長距離にわたる超高スループットトランスポート適用例のための好適な伝送媒体である。
【００３２】
一方、ワイヤレスネットワークは、しばしば、ネットワーク要素が動的接続性の必要があるモバイルであるとき、またはネットワークアーキテクチャが、固定ではなくアドホックなトポロジーで形成される場合に好適である。ワイヤレスネットワークは、無線、マイクロ波、赤外線、光などの周波数帯域中の電磁波を使用して、非誘導伝搬モードで無形物理媒体を使用する。ワイヤレスネットワークは、固定ワイヤードネットワークと比較して、ユーザモビリティと迅速なフィールド展開とを可能にするという別個の利点を有する。しかしながら、ワイヤレス伝搬の使用は、ネットワークユーザ間の有意なアクティブリソース管理と、互換性のあるスペクトル利用のためのハイレベルな相互の協調および協働とを必要とする。
【００３３】
一例では、ワイヤレスネットワークは様々なワイヤレスプロトコルに適合する。ワイヤレスプロトコルの例示的なバージョンには、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）、高速ダウンリンクパケットアクセス（ＨＳＤＰＡ）、高速アップリンクパケットアクセス（ＨＳＵＰＡ）、Ｌｏｎｇ  Ｔｅｒｍ  Ｅｖｏｌｕｔｉｏｎ（ＬＴＥ）などがある。これらのプロトコルに準拠するワイヤレスシステムは、電話、メッセージング、データ転送、電子メール、インターネットアクセス、オーディオブロードキャスト、ビデオ通信などの様々な通信サービスのための使用される。これらのワイヤレスシステムは、概して、ユーザ機器（ＵＥ）またはユーザデバイスとしても知られる個々のアクセス端末（ＡＴ）を固定電気通信インフラストラクチャネットワークに接続するために、基地局（ＢＳ）またはノードＢとしても知られるアクセスノード（ＡＮ）を利用する。概して、無線カバレージエリアは、エアインターフェースとしても知られるワイヤレスアクセスをＵＥ（たとえば、ユーザデバイス）に与えるためにセルラーベースのトポロジーアーキテクチャを使用する複数のノードＢを使用して実装される。固定電気通信インフラストラクチャネットワークの例には、公衆交換電話網（ＰＳＴＮ）、インターネット、プライベートデータネットワークなどがある。一態様では、ノードＢは、固定電気通信インフラストラクチャネットワークへの相互接続を可能にするために無線ネットワークコントローラ（ＲＮＣ：Radio Network Controller）に接続され得る。
【００３４】
ＬＴＥは、ＵＭＴＳプロトコルファミリーのリリース８（Ｒｅｌ−８）で始まる、Ｔｈｉｒｄ  Ｇｅｎｅｒａｔｉｏｎ  Ｐａｒｔｎｅｒｓｈｉｐ  Ｐｒｏｊｅｃｔ（３ＧＰＰ）によって開発されたＵＭＴＳワイヤレス通信規格の進化である。ＬＴＥ物理レイヤは、ダウンリンク上では、すなわち基地局またはｅノードＢからユーザ機器（ＵＥ）までは直交周波数分割多重（ＯＦＤＭ）に基づき、アップリンク上では、すなわちＵＥから基地局またはｅノードＢまではシングルキャリア周波数分割多元接続（ＳＣ−ＦＤＭＡ）に基づく。ＬＴＥはまた、スペクトル効率の改善のための多入力多出力（ＭＩＭＯ）アンテナ技法に適応し得る。
【００３５】
ＬＴＥ−Ａｄｖａｎｃｅｄ（ＬＴＥ−Ａ）は、現在ＵＭＴＳリリース１０（Ｒｅｌ−１０）の候補になっている、ＬＴＥのさらなる進化である。セルラーカバレージ、システムスループット、サービス品質（ＱｏＳ）などのシステムパフォーマンスを改善するための様々なシステム機能強化がＬＴＥ−Ａのために研究されている。検討中の１つの改善は、より多くのユーザに拡大された無線カバレージを提供するためにＬＴＥエアインターフェース中でリレーを使用することである。一態様では、データレートの向上または通信パフォーマンスの改善を可能にするために送信機と受信機との間の距離を最小限に抑えるために、リレーが使用される。別の態様では、いくつかの代替リレーアーキテクチャがある。たとえば、リレーの一形態はレイヤ３リレーまたは自己バックホール（self-backhaul）として知られ、このリレーは、それに接続されたＵＥにとって別の基地局またはｅノードＢのように事実上見える。一態様では、レイヤは、よく知られている開放型システム間相互接続（ＯＳＩ：open systems interconnection）プロトコルスタックモデルを指し、レイヤ３は「ネットワークレイヤ」とも呼ばれる。
【００３６】
図３に、ＬＴＥワイヤレス通信システムにおけるリレーアーキテクチャの一例を示す。ユーザ機器（ＵＥ）またはモバイルデバイス３１０は、ユーザが個人通信サービスのために採用する通信デバイスである。一態様では、ＵＥは、リレーノード（ＲＮ）３２０へのエアインターフェースまたはワイヤレス接続を有し、ＲＮは、基地局またはｅノードＢ３３０にワイヤレスに接続される。一例では、リレーノード（ＲＮ）は、図１に示すアクセスノード１０１によって表され得る。たとえば、リレーコンテキストでは、このｅノードＢはドナーセルとも呼ばれる。次に、ｅノードＢは発展型パケットコア（ＥＰＣ：evolved packet core）３４０に接続される。ＥＰＣは、公衆交換電話網（ＰＳＴＮ）、インターネット、プライベートデータネットワーク、バーチャルプライベートネットワーク（ＶＰＮ）など、固定電気通信アセットにワイヤレスシステムの様々なユーザを接続するためのネットワークインフラストラクチャを与える。一例では、ＥＰＣは、明確に定義されたエアインターフェースを介して無線アクセスする完全インターネットプロトコル（ＩＰ）ベースのコアネットワークである。
【００３７】
一態様では、ＵＥとＲＮとの間のワイヤレス接続は、アクセスリンクとして知られる。別の態様では、ＲＮとｅノードＢとの間のワイヤレス接続はバックホールリンクとして知られる。
【００３８】
一態様では、リレーノード（ＲＮ）は、それのワイヤレス接続のためにインバンド、半二重、周波数分割複信（ＦＤＤ）通信を採用する。インバンドは、ダウンリンクとアップリンクの両方でユーザワイヤレスリンクと同じスペクトルリソースを使用することを指す。半二重は、一度に同時またはほぼ同時双方向通信を可能にする全二重モードとは異なり、送信と受信とを連続的に交互に行う（すなわち、一度に一方向通信を行う）通信デバイスのための送信モードである。ＦＤＤは、二重通信の反対方向に別個の周波数帯域を使用する、すなわち、ダウンリンクがある周波数帯域上にあり、アップリンクが別の周波数帯域上にある複信技法である。
【００３９】
別の態様では、ＬＴＥワイヤレスシステムは、改善されたアップリンクリソース割振りのためのアップリンクチャネル推定をサポートするためにサウンディング基準信号（ＳＲＳ）を使用する。一例では、ＵＥは、それのアップリンク送信フォーマットの一部としてＳＲＳアップリンクをｅノードＢに送信する。
【００４０】
一態様では、ＲＮ中でのインバンド、半二重ＦＤＤ通信の使用では、同一周波数上での同時送信および受信は不可能である。別の態様では、時間領域中の送信サブフレーム間に固有のガード期間がない。また、別の態様では、送信機および受信機のオンおよびオフの切替えが通信遅延をもたらす。一例では、既存の物理チャネルアーキテクチャを大幅に変更することなくダウンリンクとアップリンクの両方のアクセスリンクおよびバックホールリンクに時間境界を生成したいという要望がある。
【００４１】
一態様では、本開示は、以下の特徴をもつソリューションを提供する。
【００４２】
ＲＮ送信／受信スイッチング時間が小さい場合、ガード期間としてサイクリックプレフィックス（ＣＰ）の部分を使用する
・より大きいガード期間が必要とされる（たとえば、バックホールリンクとアクセスリンクのいずれかまたは両方に適用される）場合、最後のＯＦＤＭシンボルをブランクアウトするためにサウンディング基準信号（ＳＲＳ）構成済みチャネルを使用する
・バックホールアップリンク上で実際のＳＲＳが必要とされる場合、ＲＮは、１つが最後のＯＦＤＭシンボルの送信をブランクアウトするためのものであり、別の１つが実ＳＲＳのためのものである連続するサブフレーム上でバックホールアップリンクチャネルを送信するように構成され得る
・スイッチング時間の影響は、ＳＲＳ構成を使用して遷移のための最後のＯＦＤＭシンボルをブランクアウトすることによってアクセスリンクのみに限定され得る（たとえば、実際のＳＲＳがアクセスリンクＵＬ上で必要とされる場合、ＵＥは、１つが最後のＯＦＤＭシンボルの送信をブランクアウトするためのものであり、別の１つが実ＳＲＳのためのものである連続するサブフレーム上でアクセスアップリンクチャネルを送信するように構成され得る）
・ＲＮおよびＵＥは、アクセスリンクアップリンク中とバックホールリンクアップリンク中のＳＲＳ構成を介して最後のＯＦＤＭシンボルをブランクアウトすべきかどうかをネゴシエートすることができる
・マルチキャスト／ブロードキャスト単一周波数ネットワーク（ＭＢＳＦＮ）遷移サブフレーム上で、ＲＮは、第１のＯＦＤＭシンボル上でのみ制御チャネルを送信するように構成され得、第２のＯＦＤＭシンボルはガード期間のために使用される
図４に、３つの例示的なオプションを用いて半二重モードにおけるＲＮの送信サブフレームと受信サブフレームとの間のリレー遷移シナリオの例示的なセットを示す。オプションＡでは、送信サブフレームの終了部がカットされる。オプションＢでは、受信サブフレームの開始部がカットされる。オプションＣでは、ＲＮにおける送信と受信の両方に対する影響が対称スイッチング遷移を用いて平衡される。
【００４３】
一態様では、送信／受信スイッチング時間が小さい場合、ＲＮがリレー遷移時間を実装するのにいくつかの可能性がある。一例では、受信サブフレームの第１のＯＦＤＭシンボルのサイクリックプレフィックス（ＣＰ）の部分は、ガード期間をサポートするためにカットされ得る。この例は、図４のオプションＢに対応する。別の例では、送信サブフレームの最後のＯＦＤＭシンボルの終了部分がカットされ得る。この例は、図４のオプションＡに対応する。別の例では、送信位相と受信サブフレームの両方への影響が平衡された状態で対称スイッチング遷移を適用する。一態様では、これらのオプションのいずれについても、ＬＴＥ物理レイヤアーキテクチャへの変更は不要である。
【００４４】
別の態様では、送信／受信スイッチング時間が大きい場合、ＲＮおよびワイヤレスネットワークは、ガード期間のために送信サブフレームの最後のＯＦＤＭシンボル全体を予約することができる。一例では、バックホールアップリンクについて、ワイヤレスネットワークは、ＲＮのために「ＵＥ固有」ＳＲＳを構成することができる。一例では、ＲＮまたはドナーｅノードＢは、最後のＯＦＤＭシンボル中にいかなる情報も送信しない。しかしながら、このオプションは、ＲＮ送信機およびドナーｅノードＢ受信機への変更を必要とする。別の態様では、ＲＮが実ＳＲＳを送信する必要がある場合、ドナーｅノードＢは、連続するＲＮ送信サブフレームを構成することになる。別の例では、アクセスダウンリンクについて、ワイヤレスネットワークは、第２のＯＦＤＭシンボル上で送信することなしにマルチキャスト／ブロードキャスト単一周波数ネットワーク（ＭＢＳＦＮ）を構成することができる。
【００４５】
図５に、リレーバックホール（ＢＨ）タイムラインの一例を示す。図５に、ドナーｅノードＢ（ＤｅＮＢ）（たとえば、図３のｅノードＢ３３０）と、リレーノード（ＲＮ）（たとえば、図３のＲＮ３２０）と、リレーユーザ機器（ＲＵＥ：relay user equipment）（たとえば、図３のＵＥ３１０）とのための様々なデータフローを示す。一例では、ＲＮ動作に対して単一のタイムライン設計を指定する必要がないことがある。しかしながら、一態様では、関係するバックホールチャネルおよびＵＥとのそれらの対話は、効率的に設計されなければならない。
【００４６】
一態様では、アップリンクスイッチングの影響が、たとえば、ＲＮとｅノードＢとの間のバックホールリンク中で局在化される場合、たとえば、ＵＥとＲＮとの間のアクセスリンク上でのサウンディング基準信号（ＳＲＳ）の受信は影響を受けない。一例では、バックホールアップリンクサブフレームの最後のＯＦＤＭシンボルは、送信／受信スイッチングと受信／送信スイッチングの両方をカバーするために利用される。別の態様では、バックホールリンク上でのＳＲＳ送信についていくつかの可能なオプションがある。ある場合には、ＳＲＳ送信サブフレームの直後にアップリンクアクセスリンク受信サブフレームが続く場合、ＳＲＳは送信されない。別の場合には、ＳＲＳサブフレームの後に別のアップリンクバックホールサブフレームが続く場合、ＳＲＳは送信され得る。たとえば、サブフレームｎ、ｎ＋１、．．．、ｎ＋ｋがアップリンクバックホールサブフレームである場合、ＳＲＳは、サブフレームｎ、ｎ＋１、．．．、ｎ＋ｋ＋１中でＲＮによって依然として送信され得る。さらに別の場合には、ＳＲＳ送信サブフレームの直後にアップリンクアクセスサブフレームが続く場合であってもＳＲＳは送信され得る。たとえば、マクロは、完全に受信されるハーフシンボルを使用してＳＲＳを復号するために、時間領域中のＳＲＳ周期性（周波数領域のコームに相当）を活用することができる。１つのオプションでは、バックホールリンク上でのＳＲＳ送信を可能にするために、２つ以上の連続するアップリンクバックホールサブフレームを構成し、たとえば、ＵＭＴＳ  Ｒｅｌ−８  ＳＲＳ構成を介してサブフレームのＳＲＳ送信インスタンス部を構成する。一例では、ＳＲＳ送信インスタンスが上記の第２の事例に属する場合、ＲＮはＳＲＳを送信し得、場合によっては、ＲＮはＳＲＳを送信しない。ドナーｅノードＢおよびＲＮがこのような状況に関して常に同期されることと、ＲＮがたいてい予想通りに静止していて、したがって、高速ＳＲＳ送信が必要であるとは考えられないこととに注意されたい。
【００４７】
しかしながら、アクセスリンク上のハイブリッド自動再送要求（Ｈ−ＡＲＱ：hybrid automatic repeat request）ラウンドトリップタイム（ＲＴＴ：round trip time）への影響も考慮されなければならない。一例では、連続するアップリンクバックホールサブフレーム構成は、偶数と奇数の両方のＨ−ＡＲＱ処理識別子がアクセスリンク上で影響を受けることを暗示する。たとえば、Ｈ−ＡＲＱ処理の影響を１０ｍｓのＨ−ＡＲＱ  ＲＴＴの偶数または奇数の識別子に局在化することがより困難になる。別の例では、第３のデルタ（Δ3）値は、アクセスリンクＳＲＳとバックホールＳＲＳとへの影響を分散するように調整され得、ＲＮからドナーｅノードＢにシグナリングされ得る。
【００４８】
別の態様では、仮想ＳＲＳ送信が採用され得る。一例では、ドナーｅノードＢは、Ｓ１と示され得る、セル固有のＳＲＳ送信サブフレームを構成し得る。ドナーｅノードＢはまた、Ｓ２と示され得る、ＲＮ固有のアップリンクバックホールサブフレームを明示的にまたは暗黙的に構成し得る。一例では、サブフレームＳ１およびＳ２の２つのセットは、Ｓ２がＳ１のサブセットであるように関係していないことがあり、すなわち、すべてのアップリンクバックホールサブフレームがＳ１のサブセットであるとは限らない。したがって、一態様では、ＲＮは、受信／送信スイッチングおよび送信／受信スイッチングのためにアップリンクバックホール中で最後のＯＦＤＭシンボルを利用するために、仮想ＳＲＳサブフレームをＳ１とＳ２の和集合として解釈しなければならない。
【００４９】
別の態様では、肯定応答（ＡＣＫ）、否定応答（ＮＡＫ）、およびスケジューリング要求（ＳＲ）についての考慮事項が認識されなければならない。たとえば、マクロＵＥおよびＲＮについてＡＣＫ、ＮＡＫ、およびＳＲ信号の間の直交性が維持されなければならない。一例では、ＲＮアップリンクは、好適なタイミング設計の下で短縮ＡＣＫ／ＮＡＫ／ＳＲフォーマットを常に使用する。一例では、短縮ＡＣＫ／ＮＡＫ／ＳＲフォーマットがマクロＵＥのために使用可能である場合、マクロＵＥおよびＲＮは、１つのリソースブロック（ＲＢ：resource block）中で多重化され得る。別の例では、短縮ＡＣＫ／ＮＡＫ／ＳＲフォーマットがマクロＵＥのために使用可能でない場合、マクロＵＥおよびＲＮは１つのリソースブロック（ＲＢ）中で多重化され得ず、したがって、直交性は、異なるリソースブロック（ＲＢ）を介して達成され得る。ＵＥの動的ＡＣＫ／ＮＡＫについては、物理アップリンク制御チャネル（ＰＵＣＣＨ）リソースは、ダウンリンクの物理ダウンリンク制御チャネル（ＰＤＣＣＨ）の最小チャネル制御要素（ＣＣＥ：channel control element）インデックスに基づいて動的に導出される。ＲＮの動的ＡＣＫ／ＮＡＫについては、ＰＵＣＣＨは、逆方向物理ダウンリンク共有チャネル（Ｒ−ＰＤＳＣＨ：reverse physical downlink shared channel）に基づいて導出され得る。異なるＲＢを介して直交性を保証するために、同じＰＵＣＣＨリソース導出手法が適用され得るが、別の一定のオフセットを使用する。
【００５０】
図６に、ドナーｅノードＢ（ＤｅＮＢ）とリレーノード（ＲＮ）との間のサブフレーム関係の一例を示す。ＤｅＮＢからの例示的なダウンリンクフレームｎとＲＮからの例示的なアップリンクサブフレームｎとを示す。
【００５１】
図７に、ＲＮの動的ＡＣＫ／ＮＡＫリソース導出のためのアップリンク構造の一例を示す。一態様では、Ｒ−ＰＤＣＣＨの最小ＣＣＥとシグナリングされる別のレイヤ３チャネルとは一定である。別の態様では、ＲＮの動的ＡＣＫ／ＮＡＫの最後のシンボルは、構成と時間オフセットΔ3の値とに応じてパンクチャされることもパンクチャされないこともある。たとえば、この状況は、時間オフセットΔ3が、影響がアクセスリンクに局在化されるようなものである場合、またはアップリンクバックホールサブフレームの後に別のバックホール構造が続く場合に発生し得る。
【００５２】
図８に、ＲＮの動的ＡＣＫ／ＮＡＫリソース導出のためのアップリンク構造の時間オフセットフォーマットの一例を示す。追加の態様では、時間オフセットは、図８に示すように、ＲＮのチャネル品質インジケータ（ＣＱＩ）と、ＲＮのＳＰＳ  ＡＣＫ／ＮＡＫとＳＲとにも適用され得る。一例では、マクロＵＥのＰＵＣＣＨとＲＮのＰＵＣＣＨとの間に明らかなカットがある。
【００５３】
追加の態様では、ＲＮの動的ＡＣＫ／ＮＡＫの量は小さい、たとえば、１０よりも小さいことがある。一例では、マクロＵＥの動的ＡＣＫ／ＮＡＫリソースの量は、ＲＮの動的ＡＣＫ／ＮＡＫの量よりもはるかに多きい。したがって、ＡＣＫ／ＮＡＫ／ＳＲの２つの設計オプション（Ｄ１およびＤ２）は、以下のように考えられ得る。
【００５４】
・オプションＤ１−ＲＮのＡＣＫ／ＮＡＫは、Ｒ−ＰＤＣＣＨに応答して半静的に構成される。一例では、１つのＡＣＫ／ＮＡＫは、複数のＡＣＫ／ＮＡＫで構成され得、Ｒ−ＰＤＣＣＨを介して使用すべきＡＣＫ／ＮＡＫが通知される。
【００５５】
・オプションＤ２−ＲＮの動的ＡＣＫ／ＮＡＫおよびマクロＵＥの動的ＡＣＫ／ＮＡＫは、マクロＵＥのＡＣＫ／ＮＡＫがＲＮの動的ＡＣＫ／ＮＡＫの後に位置するように並べ替えられる。一態様では、このオプションは、図９に示すように、予約済みであるが、使用されていないＡＣＫ／ＮＡＫリソースがより効率的に再使用されることになる。図９に、ＲＮの動的ＡＣＫ／ＮＡＣＫリソース導出のためのアップリンク構造の第２の例を示す。
【００５６】
別の態様では、チャネル品質インジケータ（ＣＱＩ）の直交性は、マクロＵＥおよびＲＮの間で維持されなければならない。一例では、ＲＮアップリンクは、好適なタイミング設計の下で第２のスロットのために新しい短縮ＣＱＩフォーマットを使用することができ、または最後のシンボルをパンクチャして既存のフォーマットをただ使用することができる。別の例では、マクロＵＥとＲＮが１つのリソースブロック（ＲＢ）中で多重化され得ない場合、直交性は、レイヤ３構成によって達成可能な、異なるＲＢを介して達成され得る。別のオプションとして、ＰＵＳＣＨベースのＣＱＩサポートが使用され得る。
【００５７】
別の態様では、１次ランダムアクセスチャネル（ＰＲＡＣＨ：primary random access channel）のタイミングアドバンス（ＴＡ：timing advance）についての設計考慮事項が適応されなければならない。一態様では、ＰＲＡＣＨは、タイミングアドバンスがない、すなわち、ＮＴＡ＝０と仮定し、それの送信タイミングはダウンリンク受信タイムラインに基づく。一例では、ＰＲＡＣＨコマンドおよびＴＡコマンドは、最大１００ｋｍの範囲をサポートするように設計される。図１０に、ＰＲＡＣＨタイミングの様々な態様の例を示す。
【００５８】
一態様では、リレーノードを使用したカバレージ拡張の目的は、マクロ単独シナリオの下で不良チャネルＵＥに妥当なサービスレベルを拡張することである。一例では、ＲＮは、一方がＰＵＣＣＨ／ＰＵＳＣＨのためのものであり、もう一方がＰＲＡＣＨのためのものである２つの異なるアップリンク受信タイミングシナリオを処理する必要があり得る。一態様では、ＲＮは、アプリオリにタイミングオフセットを知っているので、ＰＲＡＣＨをより良く検出することができる。一例では、同じアップリンク受信タイミングシナリオが使用される場合、ＰＲＡＣＨは、タイミングオフセットを考慮するために２つまたは３つのサブフレームを必要とするフォーマットを使用することを強制されることがある。タイミングオフセットはまた、ＬＴＥ−Ａ  ＵＥがブロードキャストされた情報をＰＲＡＣＨ送信のために利用するようにブロードキャストされ得る。
【００５９】
別の態様では、多地点協調（ＣｏＭＰ）についての設計考慮事項が適応されなければならない。たとえば、ドナーｅノードＢとＲＮとの間のダウンリンクＣｏＭＰでは、様々なダウンリンク伝搬遅延制約が認識されなければならない。同様に、アップリンクＣｏＭＰでは、様々なアップリンク伝搬遅延制約が認識されなければならない。
【００６０】
別の態様では、ダウンリンク送信機とアップリンク受信機とのタイミングが整合され得ない。したがって、一例では、ＲＮがマクロ信号に基づいてバックホール伝搬遅延を導出することを信頼できないことがあり得る。一例では、ドナーｅノードＢは、同期を改善するために各ＲＮにリレーバックホール伝搬遅延値をユニキャストし得る。別の例では、ドナーｅノードＢは、ＲＮのグループに対してｅノードＢ受信送信間時間差をブロードキャストまたはユニキャストし得る。たとえば、ＲＮは、ドナーｅノードＢからリレーバックホール伝搬遅延値を受信し、このリレーバックホール伝搬遅延値を同期のための補正値として適用する。一態様では、リレーバックホール伝搬遅延値が推定値であることを当業者ならば理解されよう。
【００６１】
前の例ではリレーノード（ＲＮ：relay node）が使用されたが、別の態様では、本開示はまた、リレーノード（ＲＮ）の他に他のネットワークノードのために使用され得る。他のネットワークノードは、ネットワークリスニングを介して、すなわち、別のｅノードＢのダウンリンク（ＤＬ）送信を監視することによって時間と周波数同期とを取得する任意のノードであり得る。たとえば、他のネットワークノードには、限定はしないが、ホームｅノードＢ（ＨｅＮＢ）、フェムトセル、ピコセルなどがあり得る。一例では、フェムトセルまたはピコセルは、より小さいサイズのセルである。本明細書に記載したネットワークノードのリストが包括的なリストでないことを当業者ならば理解されよう。それは排他的リストでもない。本開示の範囲または趣旨に影響を及ぼすことなしに他のネットワークノードが含まれ得る。
【００６２】
図１１に、通常サイクリックプレフィックス（ＣＰ）パターンと拡張サイクリックプレフィックス（ＣＰ）パターンの例を示す。一例では、上記のタイミング設計を使用して、通常ＣＰと拡張ＣＰとの両方の事例に対してマクロＵＥ用に設計されたＤＭ−ＲＳパターンは、ダウンリンクバックホールのために再利用され得る。
【００６３】
別の態様では、ダウンリンクタイミングについて、タイミングオフセットは、サイクリックプレフィックス（ＣＰ）の潜在的な削除を考慮するためにも選択され得る。一態様では、リレーノード（ＲＮ）の送信受信間遷移から、ＲＮは、ダウンリンクバックホールリンクの第１のＣＰを受信しないことを選択し得る。別の態様では、ＲＮの受信送信間遷移から、ＲＮは、ダウンリンクアクセスリンクの第１のＣＰを送信しないことを選択し得る。別の例では、いずれかのオプションまたは組合せが選択され得、たとえば、約１０マイクロ秒の総タイミングオフセットを生じることになり得る。この例示的な事例では、１２マイクロ秒のオフセットのみが必要であり、一例では、スイッチング時間は、送信受信間遷移についておよび受信送信間遷移について１２マイクロ秒に効果的に低減される。
【００６４】
図１２に、ワイヤレス通信システムにおいてネットワークノード中でリレー遷移時間を確立するための例示的な流れ図１２００を示す。一例では、ネットワークノードは、半二重周波数分割複信（ＦＤＤ）送信を利用する。一例では、ワイヤレス通信システムはＬＴＥ−Ａに基づく。ブロック１２１０では、ネットワークノード送信／受信（ＴＸ／ＲＸ）切替え時間と切替えしきい値とを確立する。ブロック１２２０では、ネットワークノードＴＸ／ＲＸ切替え時間を切替えしきい値と比較する。一例では、切替えしきい値は、シンボル期間、たとえば、ＯＦＤＭシンボル期間に関係する。ネットワークノードＴＸ／ＲＸ切替え時間が切替えしきい値よりも小さい場合、ブロック１２３０に進む。ネットワークノードＴＸ／ＲＸ切替え時間が切替えしきい値以上の場合、ブロック１２４０に進む。
【００６５】
ブロック１２３０において、サイクリックプレフィックス（ＣＰ）の部分をガード期間として使用する。一例では、少なくとも１つの受信サブフレームの最初のシンボルのＣＰの部分を使用する。別の例では、少なくとも１つの送信サブフレームの最後のシンボルのＣＰの部分を使用する。さらに別の例では、対称的に受信サブフレームと送信サブフレームの両方からのＣＰの部分を使用する。ブロック１２３０に続いて、ブロック１２７０に進む。
【００６６】
一例では、ネットワークノードの送信受信間遷移期間の間、ダウンリンクバックホールリンクの第１のサイクリックプレフィックス（ＣＰ）を受信しないことを選択する。一例では、ネットワークノードの受信送信間遷移期間の間、ダウンリンクアクセスリンクの第１のサイクリックプレフィックス（ＣＰ）を送信しないことを選択する。
【００６７】
ブロック１２４０において、最後のシンボルをブランクアウトするためにサウンディング基準信号（ＳＲＳ）構成済みチャネルを使用する。一例では、最後のシンボルはＯＦＤＭシンボルである。一例では、バックホールアップリンクについてネットワークノードのためにＵＥ固有ＳＲＳを構成する。別の例では、ネットワークノードとＵＥとが、アクセスアップリンクまたはバックホールアップリンク中でＳＲＳ構成を使用することによって最後のシンボルをいつブランクアウトするかをネゴシエートする。
【００６８】
一例では、ネットワークノードは、リレーノード（ＲＮ）、ホームｅノードＢ（ＨｅＮＢ）、フェムトセルまたはピコセルのうちの１つである。一例では、ネットワークノードは、ｅノードＢのダウンリンク（ＤＬ）送信を監視するためのデバイスである。一例では、ｅノードＢは、ブロードキャストまたはユニキャストのいずれかを通してネットワークノードの送信時間差を受信する。別の例では、ネットワークノードは複数のリレーバックホール伝搬遅延値のユニキャストを受信する。
【００６９】
ブロック１２４０に続いて、ブロック１２５０において、実際のＳＲＳが必要とされる場合、連続するサブフレーム上でバックホールアップリンクチャネルを送信するようにネットワークノードを構成する。一例では、連続するサブフレームのうちの１つは、最後のシンボルの送信をブランクアウトするためのものであり、連続するサブフレームの別の１つは、実際のＳＲＳのために使用される。
【００７０】
ブロック１２６０において、第１のシンボル上でのみ制御チャネルを送信し、マルチキャスト／ブロードキャスト単一周波数ネットワーク（ＭＢＳＦＮ）遷移サブフレームのために第２のシンボル上のガード期間を使用するようにネットワークノードを構成する。
【００７１】
ブロック１２６０の後に、ブロック１２７０に進む。ブロック１２７０において、適切なリレー遷移時間とともに通信を続ける。一態様では、図１２に提示したステップのうちの１つまたは複数は、図１に示したプロセッサＡ１８０、ＴｘデータプロセッサＡ１１０、ＲｘデータプロセッサＡ１７０または受信機Ａ１５０のうちの１つまたは複数の構成要素によって実行される。
【００７２】
図１２の例示的な流れ図に開示したステップは、本開示の範囲および趣旨から逸脱することなくそれらの順序を交換され得ることを当業者ならば理解されよう。また、流れ図に示すステップは排他的なものではなく、本開示の範囲および趣旨に影響を及ぼすことなく他のステップを含めるかあるいは例示的な流れ図のステップのうちの１つまたは複数を削除し得ることを当業者ならば理解されよう。
【００７３】
さらに、本明細書で開示した例に関して説明した様々な例示的な構成要素、論理ブロック、モジュール、回路、および／またはアルゴリズムステップは、電子ハードウェア、ファームウェア、コンピュータソフトウェア、またはそれらの組合せとして実装され得ることを当業者ならば諒解されようハードウェア、ファームウェア、およびソフトウェアのこの互換性を明確に示すために、様々な例示的な構成要素、ブロック、モジュール、回路、および／またはアルゴリズムステップについて、上記では概してそれらの機能に関して説明した。そのような機能をハードウェアとして実装するか、ファームウェアとして実装するか、またはソフトウェアとして実装するかは、特定の適用例および全体的なシステムに課された設計制約に依存する。当業者は、説明した機能を特定の適用例ごとに様々な方法で実装し得るが、そのような実装の決定は、本開示の範囲または趣旨からの逸脱を生じるものと解釈すべきではない。
【００７４】
たとえば、ハードウェア実装の場合、処理ユニットは、１つまたは複数の特定用途向け集積回路（ＡＳＩＣ）、デジタル信号プロセッサ（ＤＳＰ）、デジタル信号処理デバイス（ＤＳＰＤ）、プログラマブル論理デバイス（ＰＬＤ）、フィールドプログラマブルゲートアレイ（ＦＰＧＡ）、プロセッサ、コントローラ、マイクロコントローラ、マイクロプロセッサ、本明細書で説明する機能を実行するように設計された他の電子ユニット、またはそれらの組合せの中で実装され得る。ソフトウェアでは、本明細書で説明する機能を実行するモジュール（たとえば、プロシージャ、関数など）によって実装され得る。ソフトウェアコードは、メモリユニットに記憶され、プロセッサユニットによって実行され得る。さらに、本明細書で説明する様々な例示的な流れ図、論理ブロック、モジュール、および／またはアルゴリズムステップは、当技術分野で知られている任意のコンピュータ可読媒体上に担持されるかまたは当技術分野で知られている任意のコンピュータプログラム製品に実装されたコンピュータ可読命令としてもコード化され得る。
【００７５】
１つまたは複数の例では、本明細書で説明するステップまたは機能は、ハードウェア、ソフトウェア、ファームウェア、またはそれらの任意の組合せで実装され得る。ソフトウェアで実装した場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。さらに、いかなる接続もコンピュータ可読媒体と適切に呼ばれる。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイ（登録商標）ディスク（disc）を含み、ディスク（disk）は、通常、データを磁気的に再生し、ディスク（disc）は、データをレーザで光学的に再生する。上記の組合せもコンピュータ可読媒体の範囲内に含めるべきである。
【００７６】
一例では、本明細書で説明する例示的な構成要素、流れ図、論理ブロック、モジュール、および／またはアルゴリズムステップは、１つまたは複数のプロセッサを用いて実装または実行される。一態様では、プロセッサは、本明細書で説明する様々な流れ図、論理ブロックおよび／またはモジュールを実装または実行するために、プロセッサによって実行されるデータ、メタデータ、プログラム命令などを記憶するメモリに結合される。図１３に、ワイヤレス通信システムにおいてネットワークノード中でリレー遷移時間を確立するためのプロセスを実行するための、メモリ１３２０と通信しているプロセッサ１３１０を備えるデバイス１３００の一例を示す。一例では、デバイス１３００は、図１２に示すアルゴリズムを実装するために使用される。一態様では、メモリ１３２０はプロセッサ１３１０内に配置される。別の態様では、メモリ１３２０はプロセッサ１３１０の外部にある。一態様では、プロセッサは、本明細書で説明する様々な流れ図、論理ブロックおよび／またはモジュールを実装または実行するための回路を含む。
【００７７】
図１４に、ワイヤレス通信システムにおいてネットワークノード中でリレー遷移時間を確立するのに好適なデバイス１４００の一例を示す。一態様では、デバイス１４００は、本明細書のブロック１４１０、１４２０、１４３０、１４４０、１４５０、１４６０および１４７０で説明するように、ワイヤレス通信システムにおいてネットワークノード中でリレー遷移時間を確立することの異なる態様を与えるように構成された１つまたは複数のモジュールを備える少なくとも１つのプロセッサによって実装される。たとえば、各モジュールはハードウェア、ファームウェア、ソフトウェア、またはそれらの任意の組合せを備える。一態様では、デバイス１４００は、少なくとも１つのプロセッサと通信している少なくとも１つのメモリによっても実装される。
【００７８】
開示された態様の前述の説明は、当業者が本開示を実施または使用できるようにするために提供されるものである。これらの態様への様々な修正は当業者には容易に明らかであり、本明細書で定義した一般原理は、本開示の趣旨または範囲から逸脱することなく他の態様に適用され得る。
【図１】
0005415629.tif 000002
【図２】
0005415629.tif 000003
【図３】
0005415629.tif 000004
【図４】
0005415629.tif 000005
【図５】
0005415629.tif 000006
【図６】
0005415629.tif 000007
【図７】
0005415629.tif 000008
【図８】
0005415629.tif 000009
【図９】
0005415629.tif 000010
【図１０】
0005415629.tif 000011
【図１１】
0005415629.tif 000012
【図１２】
0005415629.tif 000013
【図１３】
0005415629.tif 000014
【図１４】
0005415629.tif 000015